(57)【要約】  【課題】焼却施設の減温塔や灰ホッパの内壁面に付着した不純物の除去は、減温塔等内に足場を所定の高さまで仮設した後、人手により鋤やスコップなどで掻き落とす人海戦術によっている。  【解決手段】帯状の弾性材による環状体を成しかつ内壁面の内径より短い直径を有する母材の外面にほぼ水平方向へ指向する多数の鋼線材を多数装着して構成したブラシを、鋼線材の先端を不純物表面に接触させた状態で配置したのち、母材に振動を付与して鋼線材を水平方向へ往復動させながらブラシを昇降させ、これにより、不純物を崩壊させて内壁面から剥離することを特徴とする。【選択図】  図  １
2005257086.tif 000002
【特許請求の範囲】
【請求項１】
焼却施設の減温塔や灰ホッパの内壁面に付着した不純物を除去する方法であって、
帯状の弾性材による環状体を成しかつ前記内壁面の内径より短い直径を有する母材の外面にほぼ水平方向へ指向する多数の鋼線材を多数装着して構成したブラシを、前記鋼線材の先端を前記不純物表面に接触させた状態で配置したのち、
前記母材に振動を付与して前記鋼線材を水平方向へ往復動させながら前記ブラシを昇降させ、
これにより、前記不純物を崩壊させて前記内壁面から剥離することを特徴とする不純物の除去方法。
【請求項２】
請求項１に記載の不純物の除去方法において、
前記鋼線材への加振力を前記不純物の付着状態に対応させて変更するようにしたことを特徴とする不純物の除去方法。
【請求項３】
請求項１または２に記載の不純物の除去方法において、
前記ブラシの昇降移動を前記不純物の付着状態に対応させて変更するようにしたことを特徴とする不純物の除去方法。
【請求項４】
請求項１に記載の不純物の除去方法において、
前記ブラシによる不純物の崩壊を行う前に、前記不純物の表面に複数の切込みを入れることを特徴とする不純物の除去方法。
【請求項５】
請求項４に記載の不純物の除去方法において、
前記不純物表面への切込み工程と前記ブラシによる不純物の崩壊工程の間に不純物を掻き取ることを特徴とする不純物の除去方法。
【請求項６】
焼却施設の減温塔や灰ホッパの内壁面に付着した不純物を除去する装置であって、
帯状の弾性材による環状体を成しかつ前記内壁面の内径より短い直径を有する母材の外面にほぼ水平方向へ指向する多数の鋼線材を多数装着して構成したブラシと、
前記母材に装着されてこれに振動を付与する発振手段と、
前記ブラシを昇降させさる昇降駆動機構と、
を含むことを特徴とする不純物の除去装置。
【請求項７】
請求項６に記載の不純物の除去装置において、
水平方向へ指向する多数の棒部材を適宜の間隔をおいて環状に配置しかつ昇降可能に構成して前記不純物表面に切込みを刻設する切込み手段を、前記ブラシに適宜の間隔をおき対向させて付設したことを特徴とする不純物の除去装置。
【請求項８】
請求項７に記載の不純物の除去装置において、
前記ブラシと前記切込み手段の間に、上昇または下降によって前記不純物を掻き取る掻取り手段を付設したことを特徴とする不純物の除去装置。
【発明の詳細な説明】
【技術分野】
【０００１】
本発明は、焼却施設の減温塔や灰ホッパの内壁面に付着した不純物を除去する方法およびその装置に関する。      
【背景技術】
【０００２】
従来、焼却施設の減温塔や灰ホッパの内壁面に付着した不純物の除去は、減温塔等内に足場を所定の高さまで仮設した後、人手により鋤やスコップなどで掻き落とす人海戦術によっていた。
【発明の開示】
【発明が解決しようとする課題】
【０００３】
解決しようとする問題点は、焼却施設の減温塔や灰ホッパの内壁面に付着した不純物の除去は、減温塔等内に足場を所定の高さまで仮設した後、人手により鋤やスコップなどで掻き落とす人海戦術によっている点である。
【課題を解決するための手段】
【０００４】
上記の課題を解消するために本発明における不純物の除去方法は、焼却施設の減温塔や灰ホッパの内壁面に付着した不純物を除去する方法であって、帯状の弾性材による環状体を成しかつ前記内壁面の内径より短い直径を有する母材の外面にほぼ水平方向へ指向する多数の鋼線材を多数装着して構成したブラシを、前記鋼線材の先端を前記不純物表面に接触させた状態で配置したのち、前記母材に振動を付与して前記鋼線材を水平方向へ往復動させながら前記ブラシを昇降させ、これにより、前記不純物を崩壊させて前記内壁面から剥離することを特徴とする。
【発明の効果】
【０００５】
以上の説明から明らかなように本発明は、焼却施設の減温塔や灰ホッパの内壁面に付着した不純物を除去する方法であって、帯状の弾性材による環状体を成しかつ前記内壁面の内径より短い直径を有する母材の外面にほぼ水平方向へ指向する多数の鋼線材を多数装着して構成したブラシを、前記鋼線材の先端を前記不純物表面に接触させた状態で配置したのち、前記母材に振動を付与して前記鋼線材を水平方向へ往復動させながら前記ブラシを昇降させ、これにより、前記不純物を崩壊させて前記内壁面から剥離するから、焼却施設の減温塔や灰ホッパの内壁面に付着した不純物の除去を機械的に行うことができるなどの優れた実用的効果を奏する。 
【発明を実施するための最良の形態】
【０００６】
以下、本発明を適用した不純物の除去装置の最良の形態について図面に基づき詳細に説明する。本不純物の除去装置においては、図１および図２に示すように、帯状の弾性材による環状体を成しかつ減温塔の内壁面Ｗの内径より短い直径を有する母材１の外面にほぼ水平方向へ指向する多数の鋼線材２・２を多数装着して構成したブラシ３が、昇降可能に構成された昇降フレーム４に装着してあり、昇降フレーム４は昇降駆動機構５によって昇降するようになっている。
【０００７】
そして、前記母材１にはこれに振動を付与する発振手段（図示せず）が装着してある。また、図３に示すように、前記昇降フレーム４における前記ブラシ３の上方位置には、下から順に、前記内壁面Ｗに対して約４５度傾斜する傾斜板を環状に配設して、上昇により前記不純物を掻き取る掻取り手段６と、水平方向へ指向する多数の棒部材を適宜の間隔をおいて環状に配設して前記不純物表面に切込みを刻設する切込み手段７とが装着してある。
【０００８】
また、前記昇降駆動機構５は、図１および図４の（ａ）、（ｂ）に示すように、門型構造の支持部材８と、支持部材８の下部に装着し、作業者によるハンドル９の回転によってワイヤロープを巻上げ・巻戻する３組のワイヤロープ巻上げ・巻戻し手段１０・１０と、３組のワイヤロープ巻上げ・巻戻し手段１０・１０と前記昇降フレーム４を連結する３本のワイヤロープ１１・１１と、前記支持部材８および焼却施設の天井にそれぞれ装着して前記３本のワイヤロープ１１・１１をそれぞれガイドする複数の滑車１２・１２・１３・１３とで構成してある。
【０００９】
このように構成したものは、昇降駆動機構５によって昇降フレーム４を介して切込み手段７、掻取り手段６およびブラシ３を上昇させるとともに、発振手段を駆動して母材１に振動を付与してブラシ３の鋼線材２・２を水平方向へ往復動させる。
ことにより、切込み手段７が内壁面Ｗの不純物表面に切込みを刻設し、掻取り手段６が不純物を掻き取り、ブラシ３が不純物を崩壊させて内壁面Ｗから剥離する。
【図面の簡単な説明】
【００１０】
【図１】本発明の最良の形態の正面図である。
【図２】主要部の平面図である。
【図３】図１のＡ部拡大詳細図である。
【図４】図１のＢ-Ｂ矢視図（ｂ）とその平面図（ａ）である。
【符号の説明】
【００１１】
１  母材
２  鋼線材
３  ブラシ
【図１】
2005257086.tif 000003
【図２】
2005257086.tif 000004
【図３】
2005257086.tif 000005
【図４】
2005257086.tif 000006